(57)【要約】      （修正有）【課題】製造が容易な遮熱シートを備え、軒先部分も含めて断熱機能を有する屋根用パネルを提供する。【解決手段】パネルは、適宜間隔で並列する屋根垂木１の上面に構造合板の野地板２を固着し、野地板の裏面に適宜厚さのシート支持部３１を適宜な点分布で固着すると共に、シート支持部３１に垂木間全面を覆う遮熱シート３２を固着し、垂木側面に遮熱シート３２と適宜な間隙を形成するための間隔形成部３３を設けて、間隔形成部で取付位置が決定する適宜厚さの断熱材３４で、垂木間を充たし、垂木下面に土間板３５を張ってなる断熱構造部３を備え、軒先部分まで延長した垂木にも野地板を固着すると共に、垂木底面に多数の小透孔４４を穿設した通気板４２を、断熱構造部分の間に適宜な間隙Ｃを設けて張ってなる。【選択図】図１
0003198015.tif 000002
【実用新案登録請求の範囲】
【請求項１】
適宜間隔で並列する屋根垂木上面を構造合板の野地板を固着し、野地板の裏面に適宜厚さのシート支持部を適宜な点分布で固着すると共に、前記シート支持部に垂木間全面を覆う遮熱シートを固着し、垂木側面に前記遮熱シートと適宜な間隙を形成するための間隔形成部を設けて、前記間隔形成部で取付位置が決定する適宜厚さの断熱材で、垂木間を充たし、垂木下面に土間板を張ってなる断面構造を備えた屋根用パネル。
【請求項２】
屋根垂木を軒先部分まで延長し、当該軒先部分にも野地板を固着すると共に、垂木底面に多数の小透孔を穿設した通気板を、断熱構造部分の間に適宜が間隙を設けて張ってなる請求項１記載の屋根用パネル。
【請求項３】
土間板表面を化粧板で被覆してなる請求項１又は２記載の屋根用パネル。
【考案の詳細な説明】
【技術分野】
【０００１】
本考案は、木造建築の屋根構築に使用する屋根用パネルに関するものである。
【背景技術】
【０００２】
屋根用パネルは、屋根垂木と屋根下地材（屋根野地板）を予め釘着し、垂木間に断熱材を嵌合装着すると共に、断熱材と屋根下地材の間に通気層（間隙）を形成している（特許文献１）。また特に前記通気層に輻射熱反射用の遮熱シートを設けているパネルも知られている（特許文献２）。
【先行技術文献】
【特許文献】
【０００３】
【特許文献１】実開平３−１０８１２３号公報。
【特許文献２】特開２００３−１６０９９４号公報。
【考案の概要】
【考案が解決しようとする課題】
【０００４】
ところで前記した特許文献２記載の屋根用パネルにおける遮熱シートは、複数シートを起立片群で固定したもので、予め屋根用部品として加工しておく必要があり、当然にコストアップとなると共に、起立片で保持しているために、上層シート間下方空間（下方空気層）は細かく仕切られることになり、熱分布が偏っている場合、通気による熱分布の均一化が図れない。
【０００５】
また前記の遮熱シートを備えた屋根用パネルの軒先部分は断熱構造部分から屋根垂木を突出させて構成しているものであり、建物の屋根構築に際しては、更に軒先部分の屋根葺きを行う必要がある。
【０００６】
そこで本考案は、製造を簡易にした遮熱シートを備え、また軒先部分も含む屋根用パネルを提案したものである。
【課題を解決するための手段】
【０００７】
本考案の請求項１記載に係る屋根用パネルは、適宜間隔で並列する屋根垂木上面を構造合板の野地板を固着し、野地板の裏面に適宜厚さのシート支持部を適宜な点分布で固着すると共に、前記シート支持部に垂木間全面を覆う遮熱シートを固着し、垂木側面に前記遮熱シートと適宜な間隙を形成するための間隔形成部を設けて、前記間隔形成部で取付位置が決定する適宜厚さの断熱材で、垂木間を充たし、垂木下面に土間板を張ってなる断面構造を備えたことを特徴とするものである。
【０００８】
而して前記パネルは、棟木と軒桁の間、又は棟木と母屋及び母屋と軒桁の間に直接に差し渡すことで屋根が構築され、屋根野地板上に適宜な屋根葺きを行うもので、特に内部に遮熱シートが備えられ、且つ遮熱シードの上下層が垂木間全面において空気流通がなされる通気空間を有するもので、輻射熱の反射と熱分布を均一化する通気と、断熱材によって室内（屋根用パネルの内側）の適温が確保される。特に輻射熱の反射と通気によって断熱材を薄くしても十分な遮熱機能を有することができる。
【０００９】
また本考案の請求項２記載に係る屋根用パネルは、前記のパネルにおいて、屋根垂木を軒先部分まで延長し、当該軒先部分にも野地板を固着すると共に、垂木底面に多数の小透孔を穿設した通気板を、断熱構造部分の間に適宜が間隙を設けて張ってなるものである。
【００１０】
従って前記の屋根用パネルで屋根を構築すると、軒先部分まで同時に施工できると共に、軒裏の小透孔や、外壁裏面の通気層から軒先境界の間隙から軒先内空間に入り、遮熱シート上下の通気層に流れる。
【００１１】
本考案の請求項３記載に係る屋根用パネルは、土間板表面を化粧板で被覆してなるもので、屋根構築と同時に小屋裏部屋の天井化粧も同時に行うことができる。
【考案の効果】
【００１２】
本考案の構成は上記のとおり、遮熱シートを備えて断熱機能に優れると共に、熱分布を均一化する屋根用パネルの製造を容易にし、また軒先部分も同時に施工できる屋根用パネルを提供できたものである。
【図面の簡単な説明】
【００１３】
【図１】本考案の実施形態の一部裁断した平面図。
【図２】同縦断面図。
【図３】同横断面図。
【考案を実施するための形態】
【００１４】
次に本考案の実施形態について説明する。実施形態に示した屋根用パネルは断熱部分と軒先部分を一体に形成した例である。
【００１５】
また全体の幅や長さは構築する家屋の設計基準（１８２ｃｍ或いは２００ｃｍ）に応じて予め製造しておくもので、幅は１間相当、長さは３間相当程度とするものである。
【００１６】
パネルの基本構造は  適宜間隔（１／４間相当）で並列する屋根垂木（以下単に「垂木」という）１の上面を構造合板の野地板２で連結して、パネル基体とするものである。具体的には垂木１がＷ３８ｍｍ×Ｈ８９ｍｍの規格材に、後述する上下層通気部Ａ，Ｂを形成することを加味して、１２ｍｍ厚の合板（かさ上げ材１ａ）でかさ上げしたものであり、野地板２には、１２ｍｍ厚の構造合板を使用したものである。
【００１７】
前記のパネル基体は、家屋内側に設置される範囲の断熱構造部３と、家屋外側に設置される範囲の軒先部４で、その内部構造が異なるものである。また内部構造部材は、野地板２の裏面に順次構築してパネル全体が製造される。
【００１８】
断熱構造部３は、シート支持部３１と、遮熱シート３２と、間隔形成部３３と、断熱材３４と、土間板３５と、化粧板３６で構成される。
【００１９】
シート支持部３１は、胴縁規格材（Ｗ４５ｍｍ×Ｈ１８ｍｍ）をＬ９０ｃｍ程度に切断したものを使用し、各垂木１の側面に添わせた位置や、垂木１間の中間位置等の適宜な点分布で野地板１に固着するものである。
【００２０】
遮熱シート３２は、表面をミラー処理したアルミシートで形成したもので、シート支持部３１に固着して垂木１間の断熱部全範囲に張るもので、張った際に大きな撓みが生じないように、前記シート支持部３１の点分布を決定する。前記の遮熱シート３２と野地板２の裏面との間隙が上層通気部Ａとなる。
【００２１】
間隔形成部３３は、下層通気部Ｂを確保するためのもので、遮熱シート３２における垂木１の側面との当接位置に添って高さ２０ｍｍの細材を固着しているものである。
【００２２】
断熱材３４は、高性能フェノールフォーム（Ａ種フェノールフォーム保温板１種）を採用したもので、垂木１間に嵌合装着したものである。
【００２３】
土間板３５は垂木１の下面部分を連結すると共にパネル基体の裏面を構成するもので、５．５ｍｍ厚のラワン材を垂木１に固着したものである。また化粧板３６は、そのまま室内（小屋裏部屋）の天井板となるように例えば６ｍｍ厚の赤松板を使用したものである。
【００２４】
軒先部４は、垂木１の先端面を鼻隠し材（垂木規格材）４１で連結し、断熱構造部３の先端から適宜距離（１８〜２５．５ｍｍ程度）離して間隙Ｃを開け、垂木１の底面と一致するように通気板４２の下地部材４３を垂木１間に横架し、垂木１と鼻隠し材４１と下地部材４３の底面に通気板４２を固着し、軒先部４内に軒先空間Ｄを形成したものである。また前記の通気板４２は、小透孔４４を多数穿設したケイカル板（石膏ボード）である。
【００２５】
尚前記の垂木１、野地板２、断熱構造部３及び軒先部４の各部材の互いの固着手段は、釘着でも接着剤によるものでも或いは双方を採用する構造でも良い。
【００２６】
而して前記の実施形態に示した屋根用パネル０１は軒先を含む構築に使用され、更に棟側には断熱構造部のみで形成された屋根用パネル０２を使用し、棟木ａと母屋ｂ及び母屋ｂと軒桁ｃの間に直接に差し渡すことで屋根が構築され、野地板２上に適宜な屋根葺きを行うものである。
【００２７】
屋根として構築された後には、屋根に対する直射日光による、輻射熱は遮熱シート３２で反射し、且つ上下層通気部ＡＢ及び断熱素材３４によって、外気と熱遮断をなして室内温度の維持がなされる。
【００２８】
遮熱シート３２が外気や直射日光によって温められ、若しくは冷却されると、上下層通気部ＡＢ内において空気流が生ずる。例えば夏季おいては上下層通気部ＡＢ内の空気が温められると上昇流になって棟木箇所まで上昇し、棟包みなどに形成されたガラリ部から外気に放出される。
【００２９】
これに伴って外気が外壁ｄの背面の外壁空間Ｅを上昇して間隙Ｃから軒先空間Ｄに侵入し、また小透孔４４から軒先空間Ｄに侵入し、上下層通気部ＡＢの空気流に追随して軒先空間Ｄに侵入した外気が、上下層通気部ＡＢ内に侵入するものである。
【００３０】
従って本考案の屋根用パネルは、その施工によって屋根が容易に構築され、輻射熱の反射と共にパネル内空気の流通による熱放散も行われ、優れた熱遮断機能を備える屋根とする事が出来たものである。
【符号の説明】
【００３１】
１      屋根垂木
１ａ    かさ上げ材
２      野地板
３      断熱構造部
３１    シート支持部
３２    遮熱シート
３３    間隔形成部
３４    断熱材
３５    土間板
３６    化粧板
４      軒先部
４１    鼻隠し材
４２    通気板
４３    下地部材
４４    小透孔
Ａ      上層通気部
Ｂ      下層通気部
Ｃ      間隙
Ｄ      軒先空間
Ｅ      外壁空間
【図１】
0003198015.tif 000003
【図２】
0003198015.tif 000004
【図３】
0003198015.tif 000005